(57)【要約】【課題】遊技者側に有利な特定遊技状態を途中で終了させることへの代償として当該遊技者に対し所定個数の遊技媒体を供与するという補償作業を行う場合において、その補償作業を簡単且つ正確に行い得ると共に、補償遊技媒体数を遊技者側に正確に提示できるようにすること。【解決手段】呼出ランプユニット３はリモコンから状態変更信号が入力された時点で、対応するパチンコ遊技機１が確変状態にあった場合に、管理コンピュータ５との間のデータ通信に基づいて、当該パチンコ遊技機１における当日の平均大当たり出玉数データを取得し、その平均大当たり出玉数を自身の表示部３ｂに補償パチンコ玉数として表示する。このように表示部３ｂに表示される平均大当たり出玉数は、補償パチンコ玉が順次放出されるのに応じて次第に減少される。【選択図】  図１
2004242766.tif 000002
【特許請求の範囲】
【請求項１】
遊技媒体を使用した遊技中に予め設定された条件が成立したときに遊技者側に有利な特定遊技状態を呈する遊技機と対応して設置される遊技機用端末装置において、
データ表示可能な表示手段と、
状態変更信号を入力するための入力手段と、
予め設定された補償対象期間中に前記入力手段から前記状態変更信号が入力されたときに、対応する遊技機が前記特定遊技状態にあることを条件に、前記表示手段に対して対応する遊技機毎に予め決められた数の補償遊技媒体数データを表示させる制御を行う制御手段と、
を備えたことを特徴とする遊技機用端末装置。
【請求項２】
前記遊技機は、短時間で多量の遊技媒体を放出する大当たり状態を呈すると共に、前記特定遊技状態として大当たり可能性が高められた確変状態や時短状態が設定された構成とされ、
前記制御手段は、前記遊技機が前記大当たり状態にある各期間中に当該遊技機において遊技者側が獲得した遊技媒体数の平均値を示す平均払出データを集計管理する機能を備えたデータ管理装置とデータ通信可能に構成されると共に、当該データ管理装置とのデータ通信により前記平均払出データを取得し、その平均払出データを前記補償遊技媒体数データとして前記表示手段に表示する制御を行うことを特徴とする請求項１記載の遊技機用端末装置。
【請求項３】
前記制御手段は、前記表示手段に前記補償遊技媒体数データを表示した状態では、対応する遊技機から遊技媒体が放出されて遊技者側に供与される毎に、前記表示手段に表示中の前記補償遊技媒体数データを当該供与遊技媒体数だけ減少させる制御を行うことを特徴とする請求項１または２記載の遊技機用端末装置。
【請求項４】
前記制御手段は、前記遊技機からの遊技媒体の放出に応じて遊技者側に供与される遊技媒体数が予め決められた補償遊技媒体数データ以上となった時点において前記表示手段での補償遊技媒体数データの表示を初期化することを特徴とする請求項１ないし３の何れかに記載の遊技機用端末装置。
【発明の詳細な説明】
【０００１】
【発明の属する技術分野】
本発明は、例えばパチンコ遊技機のように、遊技中に予め設定された条件が成立したときに遊技者側に有利な特定遊技状態を呈する遊技機のための端末装置に関する。
【０００２】
【発明が解決しようとする課題】
例えば、パチンコホールにおいては、その営業終了時刻を迎えたときに遊技継続中の遊技者をなるべく早い時期に退去させることにより、閉店後の後片付け作業を早期に開始できる環境を整える必要がある。但し、営業終了時刻を迎えた時点で特賞状態や確変状態或いは時短状態のような遊技者側に有利な特定遊技状態を呈しているパチンコ遊技機での遊技者をそのまま退去させたのでは、本来的に遊技者が獲得できるはずのパチンコ玉の放棄を迫ることになって遊技者側の不満が大きくなるため、パチンコホールの営業戦略に悪影響を及ぼすことになる。
【０００３】
このため、近年では、営業終了時刻を迎えた時点でパチンコ遊技機での遊技継続を打ち切る代わりに、特賞状態や確変状態などの特定遊技状態を呈しているパチンコ遊技機での遊技者に対して、所定個数のパチンコ玉（一般的には、１回の特賞状態での遊技により遊技者側が獲得すると想定される数のパチンコ玉）を補償するという所謂「閉店補償」を行うようにしている。この場合、一般的には、特賞状態にあるパチンコ遊技機については、その特賞状態が終了するまでの期間だけ遊技継続を許可し、確変状態や時短状態にあるパチンコ遊技機についてのみ遊技継続を禁止して閉店補償を行うという営業形態を採用している。
上記閉店補償を行う場合、従来では、パチンコホール従業員が、補償対象となったパチンコ遊技機の前面扉を開放した状態で盤面上の入賞口に所定個数のパチンコ玉を順次投入する作業を行い、以て当該パチンコ遊技機から閉店補償のためのパチンコ玉を強制的に放出させることが一般的になっている。
【０００４】
しかしながら、このような手段では、以下に述べるような問題点があった。即ち、パチンコ遊技機においては、１回の特賞状態での遊技により遊技者側が獲得すると想定されるパチンコ玉数が、その機種毎に異なるという事情がある。このため、閉店補償という行為に対する遊技者側の理解を得るためには、その閉店補償により遊技者側に供与するパチンコ玉の数を、パチンコ遊技機の機種毎に異ならせる必要がある。そこで、従来では、閉店補償を行う際に入賞口へ投入するパチンコ玉の数を、各パチンコ遊技機の機種毎に予め調べておいて、その数に応じたパチンコ玉を複数の容器に区分けした状態で用意しておくことが行われているが、このような作業自体が非常に面倒であり、パチンコホール従業員の負担が無闇に増えるという問題点があった。また、従来の手段では、実際に補償されるパチンコ玉の数を遊技者側で正確に把握できないため、場合によっては、パチンコホール側への不信感が増す可能性があるという問題点があった。
【０００５】
本発明は上記事情に鑑みてなされたものであり、その目的は、遊技者側に有利な特定遊技状態を途中で終了させることへの代償として当該遊技者に対し所定個数の遊技媒体を供与するという補償作業を行う場合において、その補償作業を簡単且つ正確に行い得ると共に、補償遊技媒体数を遊技者側に正確に提示できるようになって遊技者側の不信感の解消に役立つなどの効果を奏する遊技機用端末装置を提供することにある。
【０００６】
【課題を解決するための手段】
請求項１記載の発明は、上記目的を達成するために、遊技媒体を使用した遊技中に予め設定された条件が成立したときに遊技者側に有利な特定遊技状態を呈する遊技機と対応して設置される遊技機用端末装置において、
データ表示可能な表示手段と、状態変更信号を入力するための入力手段と、予め設定された補償対象期間中に前記入力手段から前記状態変更信号が入力されたときに、対応する遊技機が前記特定遊技状態にあることを条件に、前記表示手段に対して対応する遊技機毎に予め決められた数の補償遊技媒体数データを表示させる制御を行う制御手段とを備えた構成としたものである。
【０００７】
この構成によれば、予め設定された補償対象期間中に入力手段から状態変更信号が入力されると、制御手段が、対応する遊技機が遊技者側に有利な特定遊技状態にあることを条件に、表示手段に対して対応する遊技機毎に予め決められた数の補償遊技媒体数データを表示させるようになる。従って、上記補償対象期間として、例えば、遊技機が設置された遊技場の営業終了時刻に至った時点から所定の閉店処理が終了するまでの期間を設定しておけば、その営業終了時刻に至った時点以降において、特定遊技状態にある遊技機（そのまま遊技を継続すれば遊技者が所定個数以上の遊技媒体を確実に獲得可能な状態にある遊技機）についての補償遊技媒体数データを表示手段に自動的に表示できるようになる。
【０００８】
このため、遊技者側に有利な特定遊技状態を途中で終了させることへの代償として当該遊技者に対し所定個数の遊技媒体を供与するという補償作業を行う場合において、その補償作業を、表示手段に表示された補償遊技媒体数データを参照しながら簡単且つ正確に行い得るようになる。また、遊技者に対して、遊技を終了する代わりに補償される補償遊技媒体数を、表示手段の表示内容に基づいて正確に提示できるようなるから、遊技者側の不信感の解消に役立つようになる。尚、例えば、遊技機や遊技場システムに何らかの故障が発生して遊技継続が困難になった場合に、その後の所定期間を補償対象期間として設定することも可能であり、この場合においても、当該補償対象期間中に入力手段から状態変更信号を入力すれば上述同様の補償作業を行い得る。
【０００９】
請求項２記載の発明は、前記遊技機が、短時間で多量の遊技媒体を放出する大当たり状態を呈すると共に、前記特定遊技状態として大当たり可能性が高められた確変状態や時短状態が設定された構成であった場合に、前記制御手段を、前記遊技機が前記大当たり状態にある各期間中に当該遊技機において遊技者側が獲得した遊技媒体数の平均値を示す平均払出データを集計管理する機能を備えたデータ管理装置とデータ通信可能に構成すると共に、当該データ管理装置とのデータ通信により前記平均払出データを取得し、その平均払出データを前記補償遊技媒体数データとして前記表示手段に表示する制御を行う構成としたものである。
【００１０】
この構成によれば、表示手段に表示される補償遊技媒体数データが、対応する遊技機において大当たり状態にある各期間中に実際に遊技者が獲得した遊技媒体数の平均値を示す平均払出データとなるから、遊技機が特定遊技状態（確変状態や時短状態）にある状態で遊技を終了する代償として供与される補償遊技媒体数に対する遊技者側の公平感が高まるようになり、この面からも遊技者側の不信感の解消に役立つようになる。また、表示手段に表示される補償遊技媒体数データが、データ管理装置とのデータ通信により自動的に且つ正確に設定されることになるから、その設定作業が不要になって補償作業が簡単化すると共に、補償遊技媒体数データの設定ミスを未然に防止できるようになる。
【００１１】
請求項３記載の発明は、前記制御手段を、前記表示手段に前記補償遊技媒体数データを表示した状態では、対応する遊技機から遊技媒体が放出されて遊技者側に供与される毎に、前記表示手段に表示中の前記補償遊技媒体数データを当該供与遊技媒体数だけ減少させる制御を行う構成としたものである。
【００１２】
この構成によれば、遊技者に対し所定個数の遊技媒体を供与するという補償作業を行う場合において、表示手段に対し漸次減少するように表示される補償遊技媒体数データが零（若しくはこれに近いマイナス値）になったときに補償作業を終了すれば良く、これに応じて、実際に供与する遊技媒体数に過不足が生ずる事態を確実に防止できるようになる。
【００１３】
請求項４記載の発明は、前記制御手段を、前記遊技機からの遊技媒体の放出に応じて遊技者側に供与される遊技媒体数が予め決められた補償遊技媒体数データ以上となった時点において前記表示手段での補償遊技媒体数データの表示を初期化する構成としたものである。
【００１４】
この構成によれば、表示手段での補償遊技媒体数データの表示が初期化された時点で補償作業を終了すれば、その補償作業に応じて遊技者に対し実際に供与される遊技媒体数に過不足が生ずる事態を確実に防止できるようになる。また、表示手段に対して対応する遊技機毎に予め決められた数の補償遊技媒体数データを表示した状態が自動的に初期化されることになるから、操作性が向上するようになる。
【００１５】
【発明の実施の形態】
以下、本発明をパチンコホールシステムに適用した一実施例について図面を参照しながら説明する。
図１には本実施例によるシステム全体の構成が概略的に示されている。この図１において、遊技場機器として多数台ずつ設置されたパチンコ遊技機１及び台間玉貸機２は、互いに隣接して配置されており、特にパチンコ遊技機１の上方には呼出ランプユニット３（遊技機用端末装置に相当）が設けられている。パチンコ遊技機１は、呼出ランプユニット３を介して入出力装置４と接続され、台間玉貸機２はパチンコ遊技機１及び呼出ランプユニット３を介して入出力装置４に接続されている。
【００１６】
この場合、パチンコ遊技機１は、遊技中に予め設定された条件が成立したとき、例えば、スタート入賞口への入賞に伴い行われる抽選機能により大当たりが成立したときに、その大当たりの内容に応じて、入賞確率を大幅に高めた特賞状態（大当たり状態に相当）並びに大当たり確率を高めた確変状態といった特定遊技状態を呈する構成となっている。尚、所謂デジタル機などにおいて抽選結果表示役物（メインデジタル）の動作時間を短縮する時短状態を特定遊技状態として呈する構成であっても良いが、本実施例のパチンコ遊技機１では、特定遊技状態として特賞状態及び確変状態を想定している。このパチンコ遊技機１から入出力装置４には、周知のアウト玉数信号、セーフ玉数信号、スタート信号、特賞信号、確変信号などが出力される。
【００１７】
また、呼出ランプユニット３は、図２に示すように、複数の表示ランプ３ａ、例えば液晶パネルより成る表示部３ｂ（表示手段に相当）、リモコン受光部３ｃ、呼出ボタン３ｄなどを備えた構成となっており、図示しないが、内部にはＣＰＵなどを含んで構成された制御回路（制御手段に相当）が設けられている。この場合、呼出ランプユニット３は、対応するパチンコ遊技機１において特賞、確変の各状態が発生したときに、それらの状態を表示ランプ３ａの点灯・点滅によって識別可能に表示する構成となっている。
【００１８】
図１において、台間玉貸機２は、図示しないプリペイドカードが挿入された状態で当該プリペイドカードに記憶された残高金額データの範囲内でパチンコ玉を放出（返却）するＣＲ機（カードリーダ機）としての機能などを備えたものである。尚、台間玉貸機２からの放出パチンコ玉は、パチンコ遊技機１の上皿（符号なし）へ供給されるようになっている。この台間玉貸機２から入出力装置４には、プリペイドカードによる売上（遊技者側から見た場合には投資金額）を示す売上信号などが出力される。
【００１９】
パチンコホール施設である管理事務所内には、管理コンピュータ５（データ管理装置に相当）が設けられており、入出力装置４は、この管理コンピュータ５に対し店内ＬＡＮ６を介して接続されている。これにより、呼出ランプユニット３は、管理コンピュータ５との間でデータ通信を行い得るようになっている。
【００２０】
管理コンピュータ５は、パチンコ遊技機１及び台間玉貸機２から出力される種々の信号（アウト玉数信号、セーフ玉数信号、スタート信号、特賞信号、売上信号など）に基づいて、パチンコホール内の全部のパチンコ遊技機１での各種の遊技データ（アウト玉数、セーフ玉数、差玉数、スタート回数、特賞回数、大当たり出玉数（特賞期間中の出玉数、所謂ＴＹ）、稼働率、出玉率、ベース（特賞期間以外にあるときの出玉率など）、本発明でいう平均払出データに相当した平均大当たり出玉数（特賞期間中の出玉数の平均値、所謂平均ＴＹ）及び台間玉貸機２での各種の貸出高データ（売上金額、割数など）を集計して管理用データベースに蓄積するなどの機能を備えた周知構成のものである。尚、図示しないが、店内ＬＡＮ６には、景品交換カウンタに設置されたＰＯＳ端末及び島端に設置されたパチンコ玉計数機などが接続されるものである。
【００２１】
図３には、パチンコホール従業員が携帯するリモコン７（入力手段に相当）の正面外観が示されている。このリモコン７は、赤外光を送信媒体としたものであり、呼出ランプユニット３に設けられたリモコン受光部３ｃなどに向けて種々の信号を送信できる構成となっている。リモコン７には、赤外線発光ダイオードを内蔵した送信ヘッド７ａ、液晶表示部７ｂ、テンキースイッチを含む操作スイッチ群７ｃが設けられており、その操作に応じて後述する状態変更信号などを選択的に送信できる構成となっている。
【００２２】
図４には、呼出ランプユニット３に内蔵された図示しない制御回路による制御内容のうち本発明の要旨に関係した閉店補償処理ルーチンの内容が示されており、以下これについて、呼出ランプユニット３の表示部３ｂでの表示内容の例を示す図５も参照しながら説明する。
即ち、図４において、閉店補償処理ルーチンは、リモコン７からの状態変更信号を受信したときに開始される（ステップＳ１）。尚、この状態変更信号は、リモコン７において以下▲１▼、▲２▼のような操作を順次行うことによって送信できる構成となっている。
即ち、図３を参照して説明すると、
▲１▼  操作スイッチ群７ｃの「特賞」キーを操作する、
▲２▼  操作スイッチ群７ｃの「送信」キーを操作する。
【００２３】
呼出ランプユニット３内の制御回路は、このような状態変更信号を受信した場合に、例えば管理コンピュータ５側から指定された補償対象期間中であるか否かを判断する（ステップＳ２）。この補償対象期間は、常時において、少なくとも、パチンコホールの閉店時刻（予め設定された営業終了時刻）に至った時点から所定の閉店処理が終了するまでの期間が設定されるものであるが、必要に応じて、パチンコ遊技機１やパチンコホールシステムに何らかの故障が発生した場合などにおいて随時設定する構成としても良い。
【００２４】
状態変更信号の受信タイミングが補償対象期間外であった場合には、表示部３ｂに対して、状態変更信号の送信動作が無効であることを示す「状態変更エラー」の表示動作を所定時間だけ実行するステップＳ３を経た後に、閉店補償処理ルーチンを終了する。
【００２５】
これに対して、状態変更信号の受信タイミングが補償対象期間中であった場合には、対応するパチンコ遊技機１が特賞中か否かを当該パチンコ遊技機１からの特賞信号の有無に基づいて判断する（ステップＳ４）。対応するパチンコ遊技機１が特賞中であった場合には、その特賞状態が終了するまで待機するステップＳ５を実行した後にステップＳ６へ移行し、特賞中でなかった場合にはステップＳ５をジャンプしてステップＳ６へ移行する。
【００２６】
このステップＳ６では、対応するパチンコ遊技機１が特定遊技状態である確変中か否かを当該パチンコ遊技機１からの確変信号の有無に基づいて判断する。この場合、パチンコ遊技機１が確変中でなかった場合には、前記表示ステップＳ３を実行した後に閉店補償処理ルーチンを終了するが、確変中であった場合には、当該パチンコ遊技機１を仮想特賞状態に変更する（ステップＳ７）。尚、このような仮想特賞状態は、パチンコ遊技機１が実際に特賞状態にない場合においても管理コンピュータ５側では当該パチンコ遊技機１からのアウト玉数信号、セーフ玉数信号を特賞中に発生したものとして管理する状態を指す。このような仮想特賞状態への変更は、呼出ランプユニット３から管理コンピュータ５へ向けて、例えば、対応するパチンコ遊技機１を特定可能な情報（例えば台番号）を含む変更指令信号を送信することにより行われるものであり、これにより、管理コンピュータ５側では、当該パチンコ遊技機１が特賞状態にあるものと認識するようになる。
【００２７】
この後には、管理コンピュータ５に対して、対応するパチンコ遊技機１についての平均大当たり出玉数（平均ＴＹ）を示すデータを要求し（ステップＳ８）、その平均大当たり出玉数を示すデータを管理コンピュータ５からのデータアンサバック動作に応じて取得するまで待機する（ステップＳ９）。そして、平均大当たり出玉数を示すデータを取得した場合には、その平均大当たり出玉数を表示部３ｂに表示する（ステップＳ１０）。
【００２８】
ここで、表示部３ｂには、対応するパチンコ遊技機１が仮想特賞状態になる前の通常状態にある期間において、図５（ａ）に示すような画面が表示されている。この通常表示画面には、本日における特賞回数（大当たりの発生回数）、本日における確変回数（確変図柄による大当たりの発生回数）、本日における累計スタート回数（抽選結果表示役物の累計動作回数、つまり抽選回数）、スタート回数（前回の大当たりからのスタート回数の合計）が、それぞれ「特賞」、「確変」、「累計スタート」、「スタート」の文字に対応した位置にデジタル表示される。
【００２９】
前記ステップＳ１０では、図５（ｂ）に示すように、上記図５（ａ）のような画面を表示した状態の表示部３ｂに対して、対応するパチンコ遊技機１における当日の平均大当たり出玉数を意味する「ＴＹ」の文字を追加的に表示すると共に、その文字と対応付けた状態で、管理コンピュータ５から取得した平均大当たり出玉数を点滅状態で追加的にデジタル表示する。このとき、特賞回数も点滅表示されるものであり、図５（ｂ）では、点滅表示される部分を破線で囲った状態で示している。尚、特賞回数の表示内容は、仮想特賞状態の発生に伴い「１」だけインクリメントされることになる。
【００３０】
ここで、仮想特賞状態となったパチンコ遊技機１、つまり遊技場の閉店時刻において確変状態にあったパチンコ遊技機１の遊技者に対しては、遊技継続を打ち切る代わりに所定個数のパチンコ玉を供与するという閉店補償を行うものである。この閉店補償を行う場合には、パチンコホール従業員が、該当するパチンコ遊技機１の前面扉を開放した状態で盤面上の入賞口に所定個数のパチンコ玉を順次投入し、以て当該パチンコ遊技機１から閉店補償のためのパチンコ玉を強制的に放出させるという作業を行うものである。従って、パチンコ遊技機１からは、閉店補償が行われるのに応じて、アウト信号及びセーフ信号が出力されることになる。
【００３１】
図４に翻って、表示部３ｂに平均大当たり出玉数を表示した状態では、パチンコ遊技機１からアウト信号及びセーフ信号を受信するまで待機し（ステップＳ１１）、受信した状態では、表示部３ｂに表示されている平均大当たり出玉数を当該受信信号により示される出玉数（セーフ信号により示されるセーフ玉数−アウト信号により示されるアウト玉数）に相当した分だけデクリメントする（ステップＳ１２）。これにより、表示部３ｂでは、図５（ｃ）に一例を示すように平均大当たり出玉数「ＴＹ」が減少された状態の画面が表示されるようになる。
【００３２】
このデクリメント後には、アウト信号及びセーフ信号により示される出玉数が、管理コンピュータ５から取得した平均大当たり出玉数以上になったか否か（平均大当たり出玉数≦出玉数の関係が成立するか否か）を判断し（ステップＳ１３）、平均大当たり出玉数＞出玉数の関係にある期間中は、ステップＳ１１以降の処理を再実行する。従って、前述した閉店補償作業が行われている状態では、表示部３ｂに表示される平均大当たり出玉数が次第に減少することになる。そして、実際の運用上では、表示部３ｂに表示されている平均大当たり出玉数が零若しくは零に近いマイナス値になったときに閉店補償作業を終了することになる。このため、閉店補償作業が終了した時点では、平均大当たり出玉数≦出玉数の関係が成立するようになる。
【００３３】
そして、平均大当たり出玉数（平均ＴＹ）≦出玉数の関係になったとき（このときには、表示部３ｂに表示中の平均大当たり出玉数は零若しくはこれに近いマイナス値になる）には、表示部３ｂでの表示画面を図５（ｄ）に示すような通常状態（平均大当たり出玉数「ＴＹ」の表示がない状態）に戻すステップＳ１４を実行した後に、閉店補償処理ルーチンを終了する（但し、表示部３ｂの表示画面において、スタート回数は零になる）。
【００３４】
上記した本実施例によれば、以下に述べるような作用・効果を奏することができる。
即ち、例えば、パチンコホールの閉店時刻（営業終了時刻）に至ったときには、パチンコホール従業員は、呼出ランプユニット３の表示ランプ３ａによる表示に基づいて、特賞、確変の各状態にあるパチンコ遊技機１を認識する。この場合、特賞状態にあるパチンコ遊技機１のうち、確変状態が発生していない遊技機１については、そのまま特賞状態が終了するまで遊技継続を許容するものであり、当該パチンコ遊技機１での遊技者は、特賞状態が終了した時点で退去することになる。これに対して、確変状態にあるパチンコ遊技機１については、対応する呼出ランプユニット３のリモコン受光部３ｃに対してリモコン７から状態変更信号を送信する。
【００３５】
すると、その状態変更信号を受けた呼出ランプユニット３内の制御回路が、管理コンピュータ５とのデータ通信により、当該管理コンピュータ５から対応するパチンコ遊技機１についての当日の平均大当たり出玉数（所謂平均ＴＹ）を補償パチンコ玉数データ（補償遊技媒体数データ）として取得し、取得した平均大当たり出玉数を表示部３ｂに表示するようになる。
【００３６】
このため、閉店時において遊技者側に有利な特定遊技状態（本実施例の場合、確変状態）を途中で終了させることへの代償として当該遊技者に対し所定個数のパチンコ玉を供与するという閉店補償作業を行う場合において、その補償作業を、表示部３ｂに表示された当日の平均大当たり出玉数を参照しながら簡単且つ正確に行い得るようになる。また、遊技者に対して、遊技を終了する代わりに補償される補償パチンコ玉数を、表示部３ｂの表示内容（つまり、点滅状態で表示される平均大当たり出玉数）に基づいて正確に提示できるようなるから、遊技者側の不信感の解消に役立つようになる。
【００３７】
しかも、表示部３ｂには、対応するパチンコ遊技機１において特賞状態（大当たり状態）にある各期間中に実際に遊技者が獲得したパチンコ玉数の当日の平均値を示す平均大当たり出玉数、つまりパチンコ遊技機１の実情に即したデータが補償パチンコ玉数データとして表示されるから、遊技終了の代償として供与される補償パチンコ玉数に対する遊技者側の公平感が高まるようになり、この面からも遊技者側の不信感の解消に役立つようになる。また、表示部３ｂに表示される平均大当たり出玉数が、管理コンピュータ５とのデータ通信により自動的に且つ正確に設定されることになるから、その設定作業が不要になって閉店補償作業が簡単化すると共に、補償パチンコ玉数データの設定ミスを未然に防止できるようになる。
【００３８】
尚、例えば、パチンコ遊技機１やパチンコホールシステムに何らかの故障が発生して遊技継続が困難になった場合に、その後の所定期間を補償対象期間として設定することも可能であり、この場合においても、当該補償対象期間中にリモコン７から補償対象のパチンコ遊技機１に対応した呼出ランプユニット３に向けて状態変更信号を送信すれば上述同様の補償作業を行い得る。
【００３９】
また、本実施例においては、上述したような閉店補償作業が行われている状態では、補償パチンコ玉が順次放出されるのに応じて、表示部３ｂに表示される平均大当たり出玉数を次第に減少させるという表示制御が行われる構成となっている。このため、閉店補償作業を行う場合において、表示部３ｂに対し漸次減少するように表示される平均大当たり出玉数が零（若しくはこれに近いマイナス値）になったときに当該補償作業を終了すれば良く、これに応じて、閉店補償のために実際に供与するパチンコ玉数に過不足が生ずる事態を確実に防止できるようになる。
【００４０】
さらに、本実施例では、パチンコ遊技機１からのパチンコ玉の放出に応じて遊技者側に供与されたパチンコ玉数が、予め設定された補償パチンコ玉数（表示部３ｂに表示された平均大当たり出玉数の初期値）以上となったとき、つまり、表示部３ｂに対し漸次減少するように表示される平均大当たり出玉数が零（若しくはこれに近いマイナス値）になったときに、表示部３ｂでの平均大当たり出玉数の表示を初期化する構成となっている。このため、このように表示が初期化された時点で閉店補償作業を終了すれば、その閉店補償作業に応じて遊技者に対し実際に供与されるパチンコ玉数に過不足が生ずる事態を確実に防止できるようになる。また、表示部３ｂに対して閉店補償作業のために平均大当たり出玉数を表示した状態が自動的に初期化されることになるから、操作性が向上するようになる。
【００４１】
尚、本発明は上記し且つ図面に示した実施例に限定されるものではなく、以下に述べるような変形または拡大が可能である。
本実施例では、呼出ランプユニット３が状態変更信号を受信した時点で対応するパチンコ遊技機１が特賞状態であった場合に、その特賞状態が終了するのを待って当該パチンコ遊技機１が確変状態にあるか否かを判断する構成となっているが、状態変更信号の受信時において対応するパチンコ遊技機１が確変状態であった場合に、そのパチンコ遊技機１を無条件で仮想特賞状態に変更する構成としても良い。尚、この場合には、実際に特賞状態が終了した後に、本実施例で述べたような閉店補償のための制御を行うことになる。
【００４２】
本実施例では、パチンコホールの営業終了時点において特賞状態にあるパチンコ遊技機１については、そのまま特賞状態が終了するまで遊技継続を許容するシステムを採用している。このため、当該特賞状態にあるパチンコ遊技機１に対しては補償パチンコ玉数データを決定する必要がないが、パチンコホールの営業終了時点において特賞状態にあるパチンコ遊技機１での遊技継続を打ち切って閉店補償を行う場合には、平均大当たり出玉数から当該特賞状態にある期間に放出済みのパチンコ玉数を差し引くことにより補償パチンコ玉数データを算出すれば良いものである。
【００４３】
パチンコ遊技機１の特定遊技状態として時短状態が設定されていた場合には、その時短状態に対しても閉店補償を行う構成とすることができる。また、パチンコ遊技機以外の遊技機、例えばパチスロ機が設置された遊技場にも適用できる。閉店時刻に至ったときに、所謂ハンドルストップなどを行うことによりパチンコ遊技機１での遊技を強制的に終了させる構成を採用しても良い。
【００４４】
上記実施例では、補償玉数データとなる平均大当たり出玉数を示すデータを管理コンピュータ５から取得する構成としたが、リモコン７に対して、呼出ランプユニット３に向けて任意値の補償玉数データを状態変更信号と共に送信できる機能を付与する構成としも良い。このような送信動作は、リモコン７において例えば以下▲１▼〜▲５▼のような操作を順次行うことにより実現可能になる。
即ち、図３を参照して説明すると、
▲１▼  操作スイッチ群７ｃのテンキースイッチにより補償玉数を入力する、
▲２▼  操作スイッチ群７ｃの「特賞」キーを操作する、
▲３▼  操作スイッチ群７ｃの「送信」キーを操作する。
この構成によれば、閉店補償のための補償玉数データの値を、補償対象のパチンコ遊技機１に出向いたパチンコホール従業員の判断で調整できるから、フレキシブルな閉店補償が可能になる。
【００４５】
上記実施例では、入賞が発生したときにパチンコ玉を実際に放出する形態のパチンコ遊技機１が設置されていることを前提としたが、パチンコ玉を放出する代わりに、入賞に応じて得点を加算し、遊技終了時にその時点での得点を記録した記録媒体を発行する構成の封入式パチンコ遊技機が設置された遊技場システムにも適用できる。この場合には、呼出ランプユニット３がリモコン７からの状態変更信号を受信したときに、その時点での封入式パチンコ遊技機の得点に所定の補償得点を補償遊技媒体数データとして加算する構成とすれば良い。
【００４６】
状態変更信号の入力手段としてリモコン７を設ける構成としたが、これに限られるものではなく、各パチンコ遊技機１毎或いは島毎にパチンコホール従業員が操作する専用の入力手段を固定的に設ける構成としても良い。また、例えば、パチンコホール従業員が管理コンピュータ５のオペレータに対し該当する呼出ランプユニット３への状態変更信号の送信を依頼し、これに応じて管理コンピュータ５側から指定された呼出ランプユニット３へ向けて状態変更信号を送信する構成をもって入力手段に代えても良い。
【図面の簡単な説明】
【図１】本発明の一実施例を示すシステム全体の概略的構成図
【図２】呼出ランプユニットの正面図
【図３】リモコンの正面図
【図４】呼出ランプユニット内の制御回路による制御内容を示すフローチャート
【図５】表示部での表示画面例を示す図
【符号の説明】
１はパチンコ遊技機、２は台間玉貸機、３は呼出ランプユニット（遊技機用端末装置）、３ａは表示ランプ、３ｂは表示部（表示手段）、３ｃはリモコン受光部、３ｄは呼出ボタン、５は管理コンピュータ（データ管理装置）、７はリモコン（入力手段）を示す。
【図１】
2004242766.tif 000003
【図２】
2004242766.tif 000004
【図３】
2004242766.tif 000005
【図４】
2004242766.tif 000006
【図５】
2004242766.tif 000007